(57)【要約】【課題】  モールド樹脂にクラックが生じるのを防止することにより、ボンディングワイヤが切断されるのを防止する。【解決手段】  リードフレーム１のダイステージ２に接合材７を介して半導体チップ８を一体に接合し、半導体チップ８の電極とリードフレーム１のリード５との間をボンディングワイヤ６を介して電気的に接続し、半導体チップ８、ダイステージ２、ボンディングワイヤ６、リード５のインナーリード部５ａ等をモールド樹脂９で封入する。ダイステージ２の輪郭形状は半導体チップ８の輪郭形状の内側に収まるように構成される。ダイステージ２の周縁部には切り欠きが設けられ、この切り欠き内にモールド樹脂が回り込み、ダイステージ２とモールド樹脂９との境界部に剥離が生じたときに、ダイステージ２のモールド樹脂に対する相対移動が阻止される。【選択図】      図１
2005012184.tif 000002
【特許請求の範囲】
【請求項１】
半導体チップが搭載されるダイステージを有し、該ダイステージに前記半導体チップが接合された状態で、これらダイステージ及び半導体チップがモールド樹脂により一体的に封止される半導体装置に用いられるリードフレームであって、前記ダイステージの輪郭形状が前記半導体チップの輪郭形状の内側に収まる形状に形成されるとともに、前記ダイステージの周縁部に、該ダイステージの内方へ入り込む切り欠きが形成されていることを特徴とするリードフレーム。
【請求項２】
請求項１に記載のリードフレームであって、前記ダイステージは矩形形状に形成されるとともに、矩形形状の辺に相当する周縁部に前記切り欠きが形成されていることを特徴とするリードフレーム。
【請求項３】
請求項２に記載のリードフレームであって、前記辺のうち、少なくとも対向する２つの辺に相当する周縁部に、前記切り欠きが互いに対向して位置するように形成され、前記２つの辺間の寸法Ｌ１と、前記切り欠きの前記ダイステージの内方へ入り込む寸法Ｌ２との関係が、Ｌ２＝（Ｌ１×０．０５）〜（Ｌ１×０．２０）の範囲内に設定されていることを特徴とするリードフレーム。
【請求項４】
請求項１から３の何れかに記載のリードフレームであって、前記半導体チップの面積Ｓ１と、前記ダイステージの面積Ｓ２との関係が、Ｓ２＝（Ｓ１×０．１０）〜（Ｓ１×０．４０）の範囲内に設定されていることを特徴とするリードフレーム。
【請求項５】
請求項１から４の何れかに記載のリードフレームを備えた半導体装置であって、前記ダイステージの周縁部が前記半導体チップの周縁部よりも内方に位置した状態で、該半導体チップが該ダイステージに接合され、これら半導体チップ及びダイステージがモールド樹脂により一体的に封止されていることを特徴とする半導体装置。
【請求項６】
請求項５に記載の半導体装置であって、前記半導体チップの回路基板に対し、前記リードフレームが無鉛半田により接合されていることを特徴とする半導体装置。
【発明の詳細な説明】
【技術分野】
【０００１】
本発明は、リードフレーム及び半導体装置に関し、特に、樹脂封止型のリードフレーム及び半導体装置に関するものである。
【背景技術】
【０００２】
この種の樹脂封止型の半導体装置の一例として、図１９及び図２０に示すように、Ｃｕ系合金、４２Ａｌｌｏｙ等の金属からなるリードフレーム１１と、リードフレーム１１のダイステージ１２の上面にＡｇペースト、半田ペースト等の接合材１７を介して接合される半導体チップ１８と、半導体チップ１８の電極とリードフレーム１１のリード１５との間を電気的に接続するボンディングワイヤ１６と、半導体チップ１８、ダイステージ１２、ボンディングワイヤ１６、リード１５のインナーリード部１５ａ等を封止するエポキシ樹脂等の熱硬化性樹脂からなるモールド樹脂１９とを備えたものが知られている。
【０００３】
このような構成の半導体装置２０は、電子機器等に搭載される回路基板上の所定の位置に仮実装し、リフロー半田付け等によって半田ペーストを溶融・固化させて、リード１５のアウターリード部１５ｂを回路基板側に電気的に接合することにより、回路基板上の所定の位置に実装されるようになっている。
【０００４】
上記のような半導体装置２０の回路基板への実装には、従来、錫鉛半田（Ｓｎ−Ｐｂ合金）が使用されていたが、錫鉛半田に含まれる有害物質の鉛は、自然環境の破壊、人体への影響等の問題があることから、近年、錫鉛半田からＳｎ−Ａｇ−Ｃｕ合金等の無鉛半田に代わりつつある。
【０００５】
無鉛半田は、有害物質の鉛を含まないために環境保全等には有効であるが、融点が錫鉛半田よりも高いため（無鉛半田の融点；２１７℃、錫鉛半田の融点；１８３℃）、リフロー半田付け等の際の加熱温度を高く設定する必要があり、それに応じて半導体装置２０の半田耐熱性を高める必要がある。
【０００６】
ところで、上記のような構成の半導体装置２０にあっては、リフロー半田付けの際に加熱した場合に、構成部品の材質の関係によって剥離しやすい部分と剥離しにくい部分とが生じる。すなわち、シリコンからなる半導体チップ１８とモールド樹脂１９との境界部は密着力が強いので剥離が生じにくく、４２Ａｌｌｏｙ等の金属からなるダイステージ１２とモールド樹脂１９との境界部は密着力が弱いので剥離が生じ易くなる。そして、ダイステージ１２とモールド樹脂１９との境界部に剥離が生じると、その衝撃力によって剥離が半導体チップ１８とモールド樹脂１９との境界部まで延びて、剥離がクラックに成長してボンディングワイヤ１６を切断してしまうことがある。このような現象は、リフロー半田付けの際の加熱温度が高くなるほど顕著になるので、何らかの対策を採らなければならない。
【０００７】
一方、図２１〜図２３に示すように、リードフレーム２１のダイステージ２２をＸ型に形成して、ダイステージ２２とモールド樹脂２９との接合面積を小さくした半導体装置３０が知られている（例えば、特許文献１参照。）。
【０００８】
また、図２４及び図２５に示すように、リードフレーム３１のダイステージ３２の中央部に開口部３２ａを設け、この開口部３２ａによってダイステージ３２とモールド樹脂３９との接合面積を小さくした半導体装置４０が知られている（例えば、特許文献２参照。）。
【特許文献１】特開２０００−０４９２７２号公報（第４ー５頁、第７頁、図１、図２、図１９）
【特許文献２】特開平０７−２１１８５２号公報（第２頁、第４頁、図５、図１１）
【発明の開示】
【発明が解決しようとする課題】
【０００９】
これら、特許文献１に記載されている半導体装置３０は、ダイステージ２２とモールド樹脂２９との密着面積を小さくすることにより、それらの境界部に生じる剥離の面積を小さくすることができるので、剥離の際の衝撃によって半導体チップとモールド樹脂との境界部まで剥離が延び難いものである。しかし、融点の高い鉛フリー半田を用いて回路基板に接合する場合には、加熱の際にはがれやすい。
【００１０】
また、特許文献２に記載されている半導体装置４０は、半導体チップ３８の周縁よりも外方にダイステージ３２の周縁部が食み出しているため、その食み出している部分に剥がれが生じてしまい、その剥がれが生じるときの衝撃力によって半導体チップ３８とモールド樹脂３９との境界部に剥離が延びてしまい、その剥離がクラックに成長してボンディングワイヤ３６が切断されてしまう。
【００１１】
本発明は、上記のような従来の問題に鑑みなされたものであって、回路基板への実装の際に加熱しても、モールド樹脂にクラックが生じてボンディングワイヤを切断する虞がなく、実装の際の歩留まりを高めることができるとともに、環境保全に貢献することができるリードフレーム及び半導体装置を提供することを目的とするものである。
【課題を解決するための手段】
【００１２】
上記のような課題を解決するために、本発明は、以下のような手段を採用している。すなわち、請求項１に係る発明は、半導体チップが搭載されるダイステージを有し、該ダイステージに前記半導体チップが接合された状態で、これらダイステージ及び半導体チップがモールド樹脂により一体的に封止される半導体装置に用いられるリードフレームであって、前記ダイステージの輪郭形状が前記半導体チップの輪郭形状の内側に収まる形状に形成されるとともに、前記ダイステージの周縁部に、該ダイステージの内方へ入り込む切り欠きが形成されていることを特徴とする。
【００１３】
請求項２に係る発明は、請求項１に記載のリードフレームであって、前記ダイステージは矩形形状に形成されるとともに、矩形形状の辺に相当する周縁部に前記切り欠きが形成されていることを特徴とする。
【００１４】
請求項３に係る発明は、請求項２に記載のリードフレームであって、前記辺のうち、少なくとも対向する２つの辺に相当する周縁部に、前記切り欠きが互いに対向して位置するように形成され、前記２つの辺間の寸法Ｌ１と、前記切り欠きの前記ダイステージの内方へ入り込む寸法Ｌ２との関係が、Ｌ２＝（Ｌ１×０．０５）〜（Ｌ１×０．２０）の範囲内に設定されていることを特徴とする。
【００１５】
請求項４に係る発明は、請求項１から３の何れかに記載のリードフレームであって、前記半導体チップの面積Ｓ１と、前記ダイステージの面積Ｓ２との関係が、Ｓ２＝（Ｓ１×０．１０）〜（Ｓ１×０．４０）の範囲内に設定されていることを特徴とする。
【００１６】
請求項５に係る発明は、請求項１から４の何れかに記載のリードフレームを備えた半導体装置であって、前記ダイステージの周縁部が前記半導体チップの周縁部よりも内方に位置した状態で、該半導体チップが該ダイステージに接合され、これら半導体チップ及びダイステージがモールド樹脂により一体的に封止されていることを特徴とする。
【００１７】
請求項６に係る発明は、請求項５に記載の半導体装置であって、前記半導体チップの回路基板に対し、前記リードフレームが無鉛半田により接合されていることを特徴とする。
【発明の効果】
【００１８】
請求項１の発明に係るリードフレームによれば、これを半導体装置に使用した場合に、ダイステージの切り欠き内のモールド樹脂と半導体チップとの密着部分が、堅固な接合状態とされているダイステージと半導体チップとの接合部分によって囲まれることになり、ダイステージの切り欠き内のモールド樹脂と半導体チップとの接合が堅固な接合状態として保持されることになる。したがって、ダイステージとモールド樹脂との境界部に剥離が生じても、この剥離が半導体チップとモールド樹脂との境界部まで延びることがなく、剥離がクラックに成長してボンディングワイヤが切断されるようなことがない。
【００１９】
請求項２の発明に係るリードフレームによれば、ダイステージは矩形形状に形成されるとともに、矩形形状の辺に相当する周縁部に切り欠きが形成されており、これを半導体装置に使用した場合には、ダイステージの切り欠き内のモールド樹脂と半導体チップとの密着が堅固な状態に保持されることになり、ダイステージとモールド樹脂との境界部に剥離が生じても、この剥離が半導体チップとモールド樹脂との境界部まで剥離が延びることがなく、剥離がクラックに成長してボンディングワイヤが切断されるようなことがない。
【００２０】
請求項３の発明に係るリードフレームによれば、ダイステージの２つの辺間の寸法Ｌ１と切り欠きのダイステージの内方へ入り込む寸法Ｌ２との関係が上記の範囲に設定されることにより、これを半導体装置に使用した場合に、半導体チップとモールド樹脂との境界部における剥離が防止される一方、ダイステージとチップの接合強度を大きくすることが可能となる。
【００２１】
請求項４の発明に係るリードフレームによれば、半導体チップの面積とダイステージの面積との関係が上記の範囲に設定されることにより、これを半導体装置に使用した場合に、半導体チップとモールド樹脂との境界部における剥離が防止される一方、ダイステージとチップの接合強度を大きくすることが可能となる。
【００２２】
請求項５の発明に係る半導体装置によれば、ダイステージの切り欠き内のモールド樹脂と半導体チップとの密着部分が、堅固な接合状態とされているダイステージと半導体チップとの接合部分によって囲まれることになり、ダイステージの切り欠き内のモールド樹脂と半導体チップとの密着が堅固な密着状態として保持されることになる。したがって、ダイステージとモールド樹脂との境界部に剥離が生じても、この剥離が半導体チップとモールド樹脂との境界部まで延びることがなく、剥離がクラックに成長してボンディングワイヤが切断されるようなことがない。
【００２３】
請求項６の発明に係る半導体装置によれば、半導体チップの回路基板は、有害物質の鉛を含まない無鉛半田によってリードフレームに接合されることになるので、環境保全に貢献することができる。
【発明を実施するための最良の形態】
【００２４】
以下、図面を参照しつつ本発明の実施の形態について説明する。
図１〜図３には、本発明の第１実施形態によるリードフレーム及び半導体装置が示されていて、このリードフレーム１は、Ｃｕ系合金、４２Ａｌｌｏｙ等の金属からなる薄板をエッチング、打ち抜き加工により所定の形状に形成したものであって、上面に半導体チップ８が搭載されるダイステージ２、ダイステージ２を支持するステー４、ダイステージ２の外側に設けられる半導体チップ８の電極と電気的に接続される複数のリード５等を備えている。
【００２５】
ダイステージ２は、半導体チップ８の形状に応じた形状に形成されるものであって、この実施の形態においては、図２、図３に示すように、矩形状の半導体チップ８に対応させて矩形状に形成されている。
【００２６】
ダイステージ２は、その面積が半導体チップ８の面積（ダイステージ２に搭載する裏面の面積）よりも小さく形成され、かつその輪郭形状が半導体チップ８の輪郭形状の内側に収まる形状に形成されており、半導体チップ８を上面に搭載したときに、ダイステージ２の周縁から半導体チップ８の周縁部が所定の面積だけ食み出すように構成されている。
【００２７】
ダイステージ２の周縁部の各辺の中央部には、ダイステージ２の内方に入り込む半円形状の切り欠き３がそれぞれ設けられ、ダイステージ２の上面に半導体チップ８を搭載したときに、この切り欠き３に対応する半導体チップ８の裏面の一部がダイステージ２の裏面側へ露出するようになっている。
【００２８】
この場合、ダイステージ２の切り欠き３の内方へ入り込む寸法Ｌ２は、ダイステージ２の対向する２辺間の寸法をＬ１としたときに、以下の数式（１）によって求められる範囲内に設定されている。
Ｌ２＝（Ｌ１×０.０５）〜（Ｌ１×０.２０）……（１）
【００２９】
また、切り欠き３を除いたダイステージ２の裏面の面積Ｓ２は、ダイステージ２の上面に搭載される半導体チップ８の裏面の面積をＳ１としたときに、以下の数式（２）によって求められる範囲内に設定されている。
Ｓ２＝（Ｓ１×０．１０）〜（Ｓ１×０．４０）……（２）
【００３０】
ステー４は、ダイステージ２の角部にそれぞれ放射状をなすように一体に設けられる帯状をなすものであって、このステー４によってダイステージ２が支持されるようになっている。
【００３１】
リード５は、図１に示すように、ダイステージ２の外側に所定の間隙を隔ててダイステージ２を囲むように設けられる帯状をなすものであって、内側にインナーリード部５ａが設けられ、外側にアウターリード部５ｂが設けられている。
【００３２】
リード５のインナーリード部５ａは、ダイステージ２の上面に搭載される半導体チップ８の電極にボンディングワイヤ６を介して電気的に接続され、アウターリード部５ｂは、電子機器等に搭載される回路基板（図示せず）に半田を介して電気的に接合されるようになっている。
【００３３】
そして、上記のように構成したリードフレーム１を用いて本発明による半導体装置１０を組み立てるには、まず、ダイボンディング工程において、リードフレーム１のダイステージ２の上面にＡｇペースト、無鉛半田（Ｓｎ−Ａｇ−Ｃｕ合金等）等の接合材７を適量塗布し、この状態でダイステージ２の上面に半導体チップ８を載置して所定の荷重で押圧し、接合材７を溶融・固化させることにより半導体チップ８をダイステージ２の上面に一体に接合する。
この場合、ダイステージ２上へＡｇペースト等を塗布するには、図３に符号７Ａで示すように切り欠き３を避けて部分的に塗布すればよく、切り欠き３が当該塗布の障害になることはない。
【００３４】
次に、ワイヤーボンディング工程において、半導体チップ８の電極とリードフレーム１の各リード５のインナーリード部５ａとの間を、金線等のボンディングワイヤ６を用いて電気的に接続する。
【００３５】
次に、モールド工程において、上型と下型とからなる成形金型の成形キャビティ内にリードフレーム１を位置させ、成形キャビティ内にエポキシ樹脂等の熱硬化性樹脂からなる成形材料を射出充填して硬化させることより、半導体チップ８、ダイステージ２、ボンディングワイヤ６、リード５のインナーリード部５ａ等を熱硬化性樹脂からなるモールド樹脂９で封入する。
【００３６】
この場合、モールド樹脂９は、ダイステージ２の切り欠き３内にも回り込み、切り欠き３内のモールド樹脂９が半導体チップ８の裏面に接合され、切り欠き３内に位置しているモールド樹脂９の部分にダイステージ２の切り欠き３が係合されることになる。
【００３７】
次に、リード表面処理工程において、モールド樹脂９から突出しているリード５の部分に必要に応じて無鉛半田メッキを施し、リード５に錆が生じるのを防止するとともに、半導体装置１０を回路基板上に実装する際の半田付け作業を容易にする。
【００３８】
次に、切断、成形工程において、不要な部分を切断してリード５を所定の長さに形成するとともに、リード５のアウターリード部５ｂを曲げ加工等により所定の形状に成形する。
【００３９】
そして、上記のような各工程を経ることにより、本発明による半導体装置１０が構成される。そして、上記のように構成した半導体装置１０を電子機器等に搭載される回路基板上の所定の位置に仮実装し、リフロー半田付け等によって無鉛半田ペーストを溶融・固化させて、リード５のアウターリード部５ｂを回路基板側に電気的に接合することにより、回路基板上の所定の位置に本発明による半導体装置１０が実装されるものである。
【００４０】
上記のように構成したリードフレーム１を備えた半導体装置１０にあっては、リフロー半田付け等により装置が加熱されて、仮にダイステージ２とモールド樹脂９との剥離が発生しても、以下のようにしてモールド樹脂９と半導体チップ８との剥離、ボンデイングワイヤ６の切断等が防止される。
まず、半導体装置１０は、ダイステージ２の輪郭形状が半導体チップ８の輪郭形状の内側に収まる大きさに設定して、すなわち、ダイステージ２の面積を半導体チップ８の面積よりも小さく設定して、ダイステージ２の上面に半導体チップ８を搭載したときに、半導体チップ８の周縁部がダイステージ２の周縁から外方に食み出すように構成したので、剥離が伝達されやすいダイステージ２の外周部において、回路基板上に実装する際の加熱によって生じる剥離面積を小さくすることができる。従って、ダイステージ２とモールド樹脂９との剥離が生じた場合にも、この剥離がモールド樹脂９と半導体チップ８との間に延びることが防止され、剥離がクラックに成長してボンディングワイヤ６が切断されることが防止される。
【００４１】
また、半導体チップ８はダイステージ２に半田付けされているので、この間の接合は極めて堅固である。したがって、ダイステージ２の切り欠き３内のモールド樹脂９と半導体チップ８との密着部分が、堅固な接合状態とされているダイステージ２と半導体チップ８との接合部分によって囲まれることになり、ダイステージ２の切り欠き３内のモールド樹脂９と半導体チップ８との密着が堅固な密着状態として保持されることになる。また、モールド樹脂９は、切り欠き３内においてダイステージ２に係合することになり、これらモールド樹脂９，ダイステージ２は、ダイステージ２の各辺が延在する方向に相対移動し難い構造となっている。したがって、ダイステージ２とモールド樹脂９との境界部に剥離が生じても、この剥離が半導体チップ８とモールド樹脂９との境界部まで延びることがなく、剥離がクラックに成長してボンディングワイヤ６が切断されるようなことはない。
【００４２】
また、ダイステージ２の２つの辺間の寸法Ｌ１と切り欠き３のダイステージ２の内方へ入り込む寸法Ｌ２との関係が上記式（１）の範囲に設定されることにより、ダイステージ２の接合強度を大きくとることが可能となる。
したがって、環境対策として、回路基板とリードフレームの接合に際し、有害物質の鉛を含まない無鉛半田を使用しても、回路基板への実装の際の加熱によってモールド樹脂９にクラックが生じてボンディングワイヤ６が切断されるようなことはないので、実装の際の歩留まりを高めることができる。
【００４３】
また、半導体チップ８の裏面の面積Ｓ１とダイステージ２の裏面の面積Ｓ２との関係が上記式（２）の範囲に設定されることにより、同じくダイステージ２の接合強度を大きくとることが可能となる。
この式（２）によって限定される範囲を説明するため、まず、１辺４ｍｍの正方形状の半導体チップ８と、同じく正方形状で各辺にそれぞれ半円形状の切り欠き３が設けられたダイステージ２とを接合し、これらをモールド樹脂９によって一体的に封止する場合を考える。切り欠き３の寸法Ｌ２、すなわち半円形状の切り欠き３の半径は、Ｌ１×０．２０として考える。
半導体チップ８の裏面の面積Ｓ１（＝１６ｍｍ２）に対するダイステージ２の裏面の面積Ｓ２の割合Ｓ２／Ｓ１〔％〕が、ダイステージ２の１辺のサイズを変化させたときに、どのように変化するかを図４に示す。なお、参考までに切り欠き３がない場合の上記割合Ｓ２／Ｓ１も図４に示してある。
【００４４】
ここで、半導体チップ８とモールド樹脂９との密着力を１．００とし、これよりも密着力が弱くなるダイステージ２とモールド樹脂９との密着力を０．５０とする。これらの密着力は、以下のようにして規定した。
まず、表１に示すように、サンプルとして、半導体チップ８のサイズが１辺９．９ｍｍの正方形状で統一され、ダイステージ２のサイズが１辺９ｍｍの正方形状とされたサンプルＡ（切り欠きなし）と、ダイステージ２のサイズが１辺４．２ｍｍの正方形状とされたサンプルＢ（切り欠きなし）とを用意した。そして、これらのサンプルＡ，Ｂに対して、水分を十分に含ませた状態、具体的には、前処理として１２５°Ｃで２４時間、その後８５°Ｃ、湿度３０％で３３６時間、さらに３０°Ｃ、湿度７０％で２１６時間の環境下のおいて、水分を十分に含ませた状態としてから、実際のリフロー条件に近くなるように、加熱処理として２６０℃以上に１０秒保持し、その間に２６５℃に到達するように加熱するリフローを二回行った。その後、超音波探傷装置にて、内部クラックの有無、ステージ裏面剥離の有無、チップ裏面剥離の有無について観察した。その結果を以下の表２に示す。なお、ステージ裏面剥離、チップ裏面剥離は、加速試験のために必然的に生じている。
表２に示すように、ステージ裏面剥離は、ダイステージ２とモールド樹脂９との密着力が元々弱いため、サンプルＡ，Ｂの両方とも剥離率が１００％となっているが、チップ裏面剥離については、Ｓ２／Ｓ１＝８３％であるサンプルＡでは、その剥離率が８２％となり、Ｓ２／Ｓ１＝１８％であるサンプルＢでは、その剥離率が１５％となっている。つまり、この剥離率は、半導体チップ８の面積Ｓ１に対するダイステージ２の面積Ｓ２の割合Ｓ２／Ｓ１に相当していると言える。したがって、半導体チップ８の裏面とダイステージ２の裏面とが同等の割合で露出している場合、つまりＳ２／Ｓ１＝５０％である場合には、ステージ裏面剥離の剥離率が１００％となり、チップ裏面剥離の剥離率が５０％になると推定できる。すると、同一条件で比較したのであれば、ステージ裏面剥離はチップ裏面剥離の２倍となる。これは、モールド樹脂９との密着力に大きく関係しているため、半導体チップ８とモールド樹脂９との密着力を１．００としたときに、ダイステージ２とモールド樹脂９との密着力が０．５０になると想定することができる。そのため、半導体チップ８の裏面の面積Ｓ１からダイステージ２の裏面の面積Ｓ２を引いた面積Ｓ１−Ｓ２が、密着力１．００でモールド樹脂９に接合し、ダイステージ２の裏面の面積Ｓ２が、密着力０．５０でモールド樹脂９に接合していることを考慮すると、サンプルＡ，Ｂのそれぞれにおける密着力は、表１の右端欄に示すようになる。このような密着力の規定を、以下の評価において利用する。
【００４５】
【表１】
2005012184.tif 000003
【００４６】
【表２】
2005012184.tif 000004
【００４７】
半導体チップ８及びダイステージ２が接合された状態では、それらの裏面側に露出する半導体チップ８の裏面の面積、つまり、半導体チップ８の裏面の面積Ｓ１から切り欠き３を除くダイステージ２の裏面の面積Ｓ２を引いた面積Ｓ１−Ｓ２が、密着力１．００でモールド樹脂９に接合し、ダイステージ２の裏面の面積Ｓ２が、密着力０．５０でモールド樹脂９に接合していることになる。これを考慮し、半導体チップ８及びダイステージ２が接合された状態においてそれらの裏面側がモールド樹脂９に対して密着するときの密着力が、ダイステージ２の１辺のサイズを変化させたときに、どのように変化するかを図５に示す。なお、参考までに切り欠き３がない場合の上記密着力も図５に示してある。
【００４８】
この密着力は、ダイステージ２の接合強度を確保するため、０．８０以上に設定されていることが好ましい。そして、図４及び図５を参照し、上記密着力が０．８０以上となる範囲を上記割合Ｓ２／Ｓ１に換算すると、この割合Ｓ２／Ｓ１が約４０％以下となる。一方、この割合Ｓ２／Ｓ１は、半導体チップ８とダイステージ２との接着性を考慮すると、約１０％以上に設定されていることが好ましい。これにより、割合Ｓ２／Ｓ１が１０％〜４０％の範囲に設定されることが好ましいことになり、上記（２）式を導き出すことができる。
したがって、上記（２）式を満たしていると、回路基板とリードフレームの接合に際し、有害物質の鉛を含まない無鉛半田を使用しても、回路基板への実装の際の加熱によってモールド樹脂９にクラックが生じてボンディングワイヤ６が切断されるようなことがなくなり、実装の際の歩留まりを高めることができる。
【００４９】
実際に、上記（２）式を満たす範囲、例えば、上記割合Ｓ２／Ｓ１が約１８％となるように、例えば１辺約４ｍｍの正方形状の半導体チップ８と、１辺約２ｍｍの正方形状で各辺にそれぞれ半円形状の切り欠き３が設けられたダイステージ２とを接合し、これらをモールド樹脂９によって一体的に封止した半導体装置１０について評価を行った。
この評価では、１２５°Ｃ×２４ｈのベーク、８５／３０×１６８ｈの加湿、３０／７０×１２０ｈの加湿、リフロー半田付けによる２６５°Ｃピーク×１０×２の加熱を行ったところ、ボンディングワイヤ６の切断どころか、ダイステージ２の剥離も見られず、非常に良好な結果が得られた。
【００５０】
また、１辺７ｍｍ、１０ｍｍ、１２ｍｍの正方形状の半導体チップ８のそれぞれの場合について、ダイステージ２の１辺のサイズを変化させたときに、上記割合Ｓ２／Ｓ１がどのように変化するかを図６、図８、図１０に、上記密着力がどのように変化するかを図７、図９、図１１に示す。これらの場合でも、上記密着力が０．８０以上になる上記割合Ｓ２／Ｓ１は約４０％以下となり、かつ上記割合Ｓ２／Ｓ１は約１０％以上が好ましいことから、上記（２）式を満たす範囲が好ましいことが一般的に言える。
【００５１】
次に、本発明の第２実施形態を説明するが、上述した第１実施形態と同様の部分には同一の符号を用いてその説明を省略する。
本発明の第２実施形態によるリードフレーム１及び半導体装置１０に用いられるダイステージ２には、図１２に示すように、その周縁部の各辺の中央部にそれぞれ設けられた半円形状の切り欠き３に加えて、各切り欠き３を囲む部分におけるダイステージ２の裏面側がハーフエッチングされることによって第２の切り欠き３Ａが設けられている。
【００５２】
第２の切り欠き３Ａは、切り欠き３内及びダイステージ２の裏面に開放しており、上記モールド工程においては、切り欠き３内だけではなく第２の切り欠き３Ａ内にもモールド樹脂９が回り込む。
このような第２実施形態では、第１実施形態と同様の効果を得ることができるのに加え、第２の切り欠き３Ａの存在によって、ダイステージ２の裏面とモールド樹脂９との同一平面内での密着面積が減って応力が分散されるため、ダイステージ２とモールド樹脂９との剥離をより発生しにくくすることができる。また、このような効果は、ダイステージ２の裏面をサンドブラスター等で荒らすことによっても得ることが可能である。
【００５３】
次に、本発明の第３実施形態を説明するが、上述した第１〜２実施形態と同様の部分には同一の符号を用いてその説明を省略する。
本発明の第３実施形態によるリードフレーム１及び半導体装置１０に用いられるダイステージ２には、図１３に示すように、その周縁部の各辺の中央部にそれぞれ設けられた半円形状の切り欠き３に加えて、各切り欠き３を囲む部分におけるダイステージ２の上面側がハーフエッチングされることによって第２の切り欠き３Ａが設けられている。
【００５４】
第２の切り欠き３Ａは、切り欠き３内及びダイステージ２の上面に開放しており、上記モールド工程においては、切り欠き３内だけではなく第２の切り欠き３Ａ内にもモールド樹脂９が回り込み、この第２の切り欠き３Ａ内のモールド樹脂９が半導体チップ８の裏面に接合される。
このような第３実施形態では、第１実施形態と同様の効果を得ることができるのに加え、第２の切り欠き３Ａの存在によって、半導体チップ８とモールド樹脂９との接触面積を増大させることができる。さらに、第２の切り欠き３Ａは、ダイステージ２の上面側に設けられているので、上記ワイヤーボンディング工程においても、土台となるダイステージ２の安定状態を維持することができる。
【００５５】
次に、本発明の第４実施形態を説明するが、上述した第１〜３実施形態と同様の部分には同一の符号を用いてその説明を省略する。
本発明の第４実施形態によるリードフレーム１及び半導体装置１０に用いられるダイステージ２には、図１４に示すように、その周縁部の各辺の中央部にそれぞれ設けられた半円形状の切り欠き３に加えて、ダイステージ２の各角部を厚み方向に貫通する貫通穴３Ｂが形成されている。
【００５６】
貫通穴３Ｂは、ダイステージ２の裏面及び上面に開放しており、上記モールド工程においては、切り欠き３内だけではなく貫通穴３Ｂ内にもモールド樹脂が回り込み、この貫通穴３Ｂ内のモールド樹脂９が半導体チップ８の裏面に接合される。
このような第４実施形態では、第１実施形態と同様の効果を得ることができるのに加え、半導体チップ８とモールド樹脂９との接触面積を増大させることができる。さらに、貫通穴３Ｂは、ダイステージ２の周縁部である各辺に差しかからないことから、上記ワイヤーボンディング工程においても、土台となるダイステージ２の安定状態を維持することができる。なお、この第４実施形態において、各貫通穴３Ｂを囲む部分におけるダイステージ２の上面側あるいは裏面側がハーフエッチングされていてもよい。
【００５７】
次に、本発明の第５実施形態を説明するが、上述した第１〜４実施形態と同様の部分には同一の符号を用いてその説明を省略する。
本発明の第５実施形態によるリードフレーム１及び半導体装置１０に用いられるダイステージ２には、図１５に示すように、その周縁部の各辺の中央部にそれぞれ設けられた半円形状の切り欠き３に加えて、対向する各辺の切り欠き３同士の間の部分におけるダイステージ２の裏面側がハーフエッチングされることによって第３の切り欠き３Ｃが設けられている。
【００５８】
第３の切り欠き３Ｃは、切り欠き３内及びダイステージ２の裏面に開放しており、上記モールド工程においては、切り欠き３内だけではなく第３の切り欠き３Ｃ内にもモールド樹脂９が回り込む。
このような第５実施形態では、第１実施形態と同様の効果を得ることができるのに加え、上記第２実施形態と同様の効果を得ることができる。
【００５９】
次に、本発明の第６実施形態を説明するが、上述した第１〜５実施形態と同様の部分には同一の符号を用いてその説明を省略する。
本発明の第６実施形態によるリードフレーム１及び半導体装置１０に用いられるダイステージ２には、図１６に示すように、その周縁部の各辺の中央部にそれぞれ設けられた半円形状の切り欠き３に加えて、対向する各辺の切り欠き３同士の間の部分におけるダイステージ２の上面側がハーフエッチングされることによって第３の切り欠き３Ｃが設けられている。
【００６０】
第３の切り欠き３Ｃは、切り欠き３内及びダイステージ２の上面に開放しており、上記モールド工程においては、切り欠き３内だけではなく第３の切り欠き３Ｃ内にもモールド樹脂９が回り込み、この第３の切り欠き３Ｃ内のモールド樹脂９が半導体チップ８の裏面に接合される。
このような第６実施形態では、第１実施形態と同様の効果を得ることができるのに加え、上記第３実施形態と同様の効果を得ることができる。
【００６１】
次に、本発明の第７実施形態を説明するが、上述した第１〜６実施形態と同様の部分には同一の符号を用いてその説明を省略する。
本発明の第７実施形態によるリードフレーム１及び半導体装置１０に用いられるダイステージ２には、図１７に示すように、その周縁部の各辺に、ダイステージ２の内方に入り込む半円形状の切り欠き３がそれぞれ複数設けられており、上述した第１実施形態と同様の効果を得ることができる。
【００６２】
次に、本発明の第８実施形態を説明するが、上述した第１〜７実施形態と同様の部分には同一の符号を用いてその説明を省略する。
本発明の第８実施形態によるリードフレーム１及び半導体装置１０のダイステージ２には、図１８に示すように、その周縁部の各辺にそれぞれ複数設けられた半円形状の切り欠き３に加えて、各切り欠き３を含むダイステージ２の周縁領域におけるダイステージ２の上面側がハーフエッチングされることによって第４の切り欠き３Ｄが設けられている。
【００６３】
第４の切り欠き３Ｄは、切り欠き３内及びダイステージ２の上面に開放しており、上記モールド工程においては、切り欠き３内だけではなく第４の切り欠き３Ｄ内にもモールド樹脂９が回り込み、この第４の切り欠き３Ｄ内のモールド樹脂９が半導体チップ８の裏面に接合される。
このような第８実施形態では、第１実施形態と同様の効果を得ることができるのに加え、上記第３実施形態と同様の効果を得ることができる。
【００６４】
なお、ダイステージ２の切り欠き３は、半円形状に限らず、三角形状、四角形状等としても良い。
【産業上の利用可能性】
【００６５】
以上、説明したように、本発明によるリードフレーム及び半導体装置によれば、ダイステージの輪郭形状が半導体チップの輪郭形状の内側に収まるように設定したので、回路基板上に実装する際の加熱によってダイステージとモールド樹脂との境界部に生じる剥離面積を小さくすることができる。従って、ダイステージ側の剥離が半導体チップとモールド樹脂との境界部まで延びるようなことはなく、剥離がクラックに成長してボンディングワイヤが切断されるようなことはない。
また、ダイステージとモールド樹脂との境界部に剥離が生じても、ダイステージの周縁部にはダイステージの内方に入り込む切り欠きが設けられ、この切り欠き内のモールド樹脂と半導体チップとの接合が堅固な状態に保持されるため、剥離が半導体チップとモールド樹脂との境界部まで延びることはなく、剥離がクラックに成長してボンディングワイヤが切断されるようなことはない。
従って、有害物質の鉛を含まない無鉛半田を使用しても、回路基板への実装の際の加熱によってモールド樹脂にクラックが生じてボンディングワイヤが切断されるようなことはないので、実装の際の歩留まりを高めることができるとともに、環境保全に貢献することもできることになる。
【図面の簡単な説明】
【００６６】
【図１】本発明の第１実施形態によるリードフレーム及び半導体装置を示した概略断面図である。
【図２】図１の半導体チップとダイステージとをそれらの裏面側から見た場合の説明図である。
【図３】図１のダイステージに接合材を塗布する部分を示す説明図である。
【図４】４ｍｍ×４ｍｍの半導体チップに対してダイステージの大きさを変化させたときのＳ２／Ｓ１を示すグラフである。
【図５】４ｍｍ×４ｍｍの半導体チップに対してダイステージの大きさを変化させたときの密着力を示すグラフである。
【図６】７ｍｍ×７ｍｍの半導体チップに対してダイステージの大きさを変化させたときのＳ２／Ｓ１を示すグラフである。
【図７】７ｍｍ×７ｍｍの半導体チップに対してダイステージの大きさを変化させたときの密着力を示すグラフである。
【図８】１０ｍｍ×１０ｍｍの半導体チップに対してダイステージの大きさを変化させたときのＳ２／Ｓ１を示すグラフである。
【図９】１０ｍｍ×１０ｍｍの半導体チップに対してダイステージの大きさを変化させたときの密着力を示すグラフである。
【図１０】１２ｍｍ×１２ｍｍの半導体チップに対してダイステージの大きさを変化させたときのＳ２／Ｓ１を示すグラフである。
【図１１】１２ｍｍ×１２ｍｍの半導体チップに対してダイステージの大きさを変化させたときの密着力を示すグラフである。
【図１２】（ａ）は本発明の第２実施形態によるリードフレーム及び半導体装置の半導体チップとダイステージとをそれらの裏面側から見た説明図、（ｂ）は（ａ）におけるＡ−Ａ線断面図である。
【図１３】（ａ）は本発明の第３実施形態によるリードフレーム及び半導体装置の半導体チップとダイステージとをそれらの裏面側から見た説明図、（ｂ）は（ａ）におけるＢ−Ｂ線断面図である。
【図１４】本発明の第４実施形態によるリードフレーム及び半導体装置の半導体チップとダイステージとをそれらの裏面側から見た説明図である。
【図１５】（ａ）は本発明の第５実施形態によるリードフレーム及び半導体装置の半導体チップとダイステージとをそれらの裏面側から見た説明図、（ｂ）は（ａ）におけるＣ−Ｃ線断面図である。
【図１６】（ａ）は本発明の第６実施形態によるリードフレーム及び半導体装置の半導体チップとダイステージとをそれらの裏面側から見た説明図、（ｂ）は（ａ）におけるＤ−Ｄ線断面図である。である。
【図１７】本発明の第７実施形態によるリードフレーム及び半導体装置の半導体チップとダイステージとをそれらの裏面側から見た説明図である。
【図１８】（ａ）は本発明の第８実施形態によるリードフレーム及び半導体装置の半導体チップとダイステージとをそれらの裏面側から見た説明図、（ｂ）は（ａ）におけるＥ−Ｅ線断面図である。である。
【図１９】従来のリードフレーム及び半導体装置の一例を示した概略断面図である。
【図２０】図１９の半導体チップとダイステージとの関係を示した説明図である。
【図２１】従来のリードフレームの他の例を示した説明図である。
【図２２】図２１のリードフレームに半導体チップを搭載した状態を示した説明図である。
【図２３】図２１のリードフレームを備えた半導体装置を示した概略断面図である。
【図２４】従来のリードフレームの他の例を示した概略図である。
【図２５】図２４のリードフレームを備えた半導体装置を示した概略断面図である。
【符号の説明】
【００６７】
１  リードフレーム、２  ダイステージ、３  切り欠き、８  半導体チップ、  ９  モールド樹脂、１０  半導体装置。
【図１】
2005012184.tif 000005
【図２】
2005012184.tif 000006
【図３】
2005012184.tif 000007
【図４】
2005012184.tif 000008
【図５】
2005012184.tif 000009
【図６】
2005012184.tif 000010
【図７】
2005012184.tif 000011
【図８】
2005012184.tif 000012
【図９】
2005012184.tif 000013
【図１０】
2005012184.tif 000014
【図１１】
2005012184.tif 000015
【図１２】
2005012184.tif 000016
【図１３】
2005012184.tif 000017
【図１４】
2005012184.tif 000018
【図１５】
2005012184.tif 000019
【図１６】
2005012184.tif 000020
【図１７】
2005012184.tif 000021
【図１８】
2005012184.tif 000022
【図１９】
2005012184.tif 000023
【図２０】
2005012184.tif 000024
【図２１】
2005012184.tif 000025
【図２２】
2005012184.tif 000026
【図２３】
2005012184.tif 000027
【図２４】
2005012184.tif 000028
【図２５】
2005012184.tif 000029